(57)【要約】【課題】所望の白色度に漂白するのに必要な多段漂白工程での漂白薬品の使用量を大幅に削減し得る漂白パルプの製造方法を提供する。【解決手段】リグノセルロース物質を蒸解するＡ工程、得られた未漂白パルプを洗浄するＢ工程、アルカリ酸素漂白するＣ工程、アルカリ酸素漂白後のパルプを洗浄するＤ工程、その後、多段漂白工程で元素状塩素を使用せずに漂白処理するＥ工程を有する漂白パルプの製造方法において、Ｂ工程及びＤ工程の洗浄ろ液（ろ液Ｂ及びろ液Ｄ）中の化学的酸素要求量（ＣＯＤ）を低下させるＦ工程及びＧ工程をさらに有し、Ｆ工程のろ液ＦとＧ工程のろ液Ｇ又は未処理のろ液Ｄを混合した混合液（ろ液Ｂ’）をＢ工程へ送り、パルプの洗浄水及び希釈水として循環再使用することを特徴とする漂白パルプの製造方法。【選択図】  なし【特許請求の範囲】
【請求項１】
リグノセルロース物質を蒸解するＡ工程、得られた未漂白パルプを洗浄するＢ工程、次いでアルカリ酸素漂白するＣ工程、得られたアルカリ酸素漂白後のパルプを洗浄するＤ工程、その後、多段漂白工程で元素状塩素を使用せずに漂白処理するＥ工程を有する漂白パルプの製造方法において、前記Ｂ工程の洗浄ろ液（ろ液Ｂ）中の化学的酸素要求量（ＣＯＤ）を低下させるＦ工程、及び前記Ｄ工程の洗浄ろ液（ろ液Ｄ）中の化学的酸素要求量（ＣＯＤ）を低下させるＧ工程をさらに有し、得られた前記Ｆ工程の処理液（ろ液Ｆ）と前記Ｇ工程の処理液（ろ液Ｇ）又は未処理のろ液Ｄを混合した混合液（ろ液Ｂ’）をＢ工程へ送り、パルプの洗浄水及び希釈水として循環再使用することを特徴とする漂白パルプの製造方法。
【請求項２】
前記Ｆ工程及び前記Ｇ工程において、ろ液に酸化剤を添加し、ＣＯＤ成分を酸化分解してＣＯＤ濃度を１０〜９０％低下させることを特徴とする請求項１記載の漂白パルプの製造方法。
【請求項３】
前記Ｆ工程及び前記Ｇ工程において、ろ液を電気分解処理し、ＣＯＤ成分を酸化分解してＣＯＤ濃度を１０〜９０％低下させることを特徴とする請求項１記載の漂白パルプの製造方法。
【請求項４】
前記電気分解処理において、過酸化水素添加、オゾン添加、酸素添加及び紫外線照射から選ばれる少なくとも一種を組み合わせることによってＣＯＤ成分の分解を促進させることを特徴とする請求項３記載の漂白パルプの製造方法。
【発明の詳細な説明】
【０００１】
【発明の属する技術分野】
本発明は、リグノセルロース物質の漂白方法であって、未漂白パルプ洗浄工程からのろ液やアルカリ酸素漂白パルプの洗浄工程からのろ液を前処理してパルプの随伴水中の有機成分を低減し、未漂白パルプ洗浄工程の洗浄水、アルカリ酸素漂白工程の希釈水等に利用することを特徴とするリグノセルロース物質の漂白方法に関する。
【０００２】
【従来の技術】
昨今、日本国内では、ダイオキシンを発生する恐れがある有機塩素化合物の環境への流出を防ぐ目的で、元素状塩素を使用しない、いわゆるＥＣＦ（Ｅｌｅｍｅｎｔａｒｙ  Ｃｈｌｏｒｉｎｅ  Ｆｒｅｅ）化が進行中である。現在、原子状塩素や次亜塩素酸塩の代替として、二酸化塩素、オゾン、酸素、過酸化水素、過酢酸、及び過硫酸等の酸素系の漂白薬品が注目されている。しかしながら、酸素と過酸化水素を除いた上記の薬品は、取り扱い上の問題やコストが高いといった経済的な問題等から、使用量を減少させる方法に関心が集まっている。
【０００３】
二酸化塩素等漂白薬品の使用量を減少させる方法としては、アルカリ酸素漂白工程においてできるだけ脱リグニンを進め、多段漂白工程前のパルプのカッパー価を減少させる方法が多数提案されている。アルカリ酸素漂白工程においてできるだけ脱リグニンを進める方法としては、亜硝酸処理のような前処理を行なう方法（例えば、特許文献１参照）、酸素ガスを分割添加する方法（例えば、特許文献２参照）、アルカリ酸素漂白後、アルカリブリーチングする方法（例えば、特許文献３参照）等が提案されている。しかしながら、これらの方法は、その効果に対する操作性、経済性等を考慮すると、十分なものではなかった。
【０００４】
また、複数のアルカリ酸素漂白装置を直列に並べ、かつ装置毎に洗浄段を挿入する方法（例えば、特許文献４参照）も提案されている。これはパルプに随伴する溶液中の有機成分がアルカリ酸素漂白性を悪化させるため、これらの有機成分を低減させて、脱リグニンを進める方法である。
【０００５】
上記洗浄段で用いられる洗浄水は、蒸解パルプの洗浄工程、アルカリ酸素漂白パルプの洗浄工程の各洗浄ろ液を循環再使用するのが一般的である。また、蒸解パルプの洗浄工程ではパルプを洗浄、脱水した後、希釈水を添加してアルカリ酸素漂白における濃度調整に使われるが、この希釈水にはアルカリ酸素漂白パルプの洗浄工程からの洗浄ろ液を再使用するのが一般的である。
【０００６】
これらのろ液には、可溶性リグニン、炭水化物、有機酸等の有機成分が多量に含まれているため、上記従来の方法でパルプの洗浄を強化しても、ろ液中の有機成分がパルプに随伴し、アルカリ酸素漂白性を悪化させてしまうという問題点がある。
また、ケミカルパルプを製造する際にセルロース質繊維材料のパルプを漂白する方法において、導入された蒸解後のパルプ、あるいはアルカリ酸素漂白後のパルプを洗浄した後に、漂白ラインに連続的に供給する時点で、希釈水を添加し、加熱抽出処理を行なうことにより、後段の漂白性を改善するセルロース質繊維材料のパルプの漂白方法（例えば、特許文献５参照）が提案されているが、使用する希釈水が増加するという問題点があるし、前述したように希釈水自体に含まれている有機成分がパルプに随伴してアルカリ酸素漂白性を悪化させてしまうという問題点がある。
【０００７】
【特許文献１】
特開平４−３１６６９０号公報
【特許文献２】
特開平１−２７２８９０号公報
【特許文献３】
特開平６−３４１０７９号公報
【特許文献４】
特開平３−１４６８６号公報
【特許文献５】
特開平２００２−２２７０８３号公報
【０００８】
【発明が解決しようとする課題】
本発明者は、かかる現状に鑑み、リグノセルロース物質を原料として漂白パルプを製造する方法において、漂白後のパルプの白色度を一定に維持しながら多段漂白工程で使用する漂白薬品の使用量を減少させる方法について鋭意検討を重ねた結果、未漂白パルプの洗浄水と洗浄後の希釈水となるアルカリ酸素漂白塔前後の洗浄機のろ液を、酸化処理もしくは電気分解処理で前処理し、有機成分濃度を低下させた後、アルカリ酸素漂白前の洗浄機に循環再使用することで、パルプに随伴する溶液中の有機成分が低減し、アルカリ酸素漂白工程における脱リグニンの効果を上げられることを見いだし、本発明を完成するに至った。
【０００９】
本発明の目的は、未漂白パルプの洗浄水と洗浄後の希釈水となるアルカリ酸素漂白塔前後の洗浄機のろ液を前処理し、有機成分濃度を低下させた後、アルカリ酸素漂白前の洗浄機に循環再使用するアルカリ酸素漂白法において、所望の白色度に漂白するのに必要な多段漂白工程での漂白薬品の使用量を大幅に削減し得る漂白パルプの製造方法を提供することにある。
【００１０】
【課題を解決するための手段】
上記の課題を解決するために、本発明のパルプ漂白方法は、未漂白パルプの洗浄水と洗浄後の希釈水となるアルカリ酸素漂白塔前後の洗浄機からのろ液を、酸化処理もしくは電気分解処理で前処理して有機成分濃度を低下させた後、アルカリ酸素漂白前の洗浄機に送り、洗浄水及び希釈水として循環再使用するアルカリ酸素漂白法において、所望の白色度に漂白するのに必要な多段漂白処理工程での漂白薬品の使用量を大幅に削減することができる、以下の各発明を包含する。
【００１１】
（１）リグノセルロース物質を蒸解するＡ工程、得られた未漂白パルプを洗浄するＢ工程、次いでアルカリ酸素漂白するＣ工程、得られたアルカリ酸素漂白後のパルプを洗浄するＤ工程、その後、多段漂白工程で元素状塩素を使用せずに漂白処理するＥ工程を有する漂白パルプの製造方法において、前記Ｂ工程の洗浄ろ液（ろ液Ｂ）中の化学的酸素要求量（ＣＯＤ）を低下させるＦ工程、及び前記Ｄ工程の洗浄ろ液（ろ液Ｄ）中の化学的酸素要求量（ＣＯＤ）を低下させるＧ工程をさらに有し、得られた前記Ｆ工程の処理液（ろ液Ｆ）と前記Ｇ工程の処理液（ろ液Ｇ）又はろ液Ｄを混合した混合液（ろ液Ｂ’）をＢ工程へ送り、パルプの洗浄水及び希釈水として循環再使用することを特徴とする漂白パルプの製造方法。
【００１２】
（２）前記Ｆ工程及び前記Ｇ工程において、ろ液に酸化剤を添加し、ＣＯＤ成分を酸化分解してＣＯＤ濃度を１０〜９０％低下させることを特徴とする（１）項記載の漂白パルプの製造方法。
【００１３】
（３）前記Ｆ工程及び前記Ｇ工程において、ろ液を電気分解処理し、ＣＯＤ成分を酸化分解してＣＯＤ濃度を１０〜９０％低下させることを特徴とする（１）項記載の漂白パルプの製造方法。
【００１４】
（４）前記電気分解処理において、過酸化水素添加、オゾン添加、酸素添加及び紫外線照射から選ばれる少なくとも一種を組み合わせることによってＣＯＤ成分の分解を促進させることを特徴とする（３）項記載の漂白パルプの製造方法。
【００１５】
（５）前記Ｂ工程のろ液のみを前処理して、ＣＯＤ濃度を１０〜９０％低下させることを特徴とする（１）〜（４）のいずれか１項に記載の漂白パルプの製造方法。
【００１６】
（６）前記Ｆ工程、前記Ｇ工程でろ液に凝集剤を添加し、フロック形成後に加圧浮上法、もしくは膜濾過法で、ＣＯＤ成分を除去し、ＣＯＤ濃度を１０〜９０％低下させることを特徴とする（１）〜（５）のいずれか１項に記載の漂白パルプの製造方法。
【００１７】
【作用】
本発明のアルカリ酸素漂白工程では、未漂白パルプの洗浄水及び希釈水の有機成分濃度が低下しているため、パルプ中のリグニンと随伴溶液中の有機成分との漂白薬品に対する競合が抑えられ、漂白性が向上する。その結果、後段の漂白薬品を削減できる。また、有機成分と漂白薬品の反応から生成する選択性の低い活性種も軽減するので繊維の損傷が抑えられ、パルプの品質が向上する。
【００１８】
【発明の実施の形態】
以下、本発明の一実施態様を、図１のフロー概念図を参照して説明する。
木材チップは蒸解工程（Ａ工程）でパルプ化された後、洗浄工程（Ｂ工程）で洗浄され、アルカリ酸素漂白工程（Ｃ工程）へ送られる。アルカリ酸素漂白後のパルプは洗浄工程（Ｄ工程）で洗浄され、多段漂白工程（Ｅ工程）で多段漂白されて完成漂白パルプとなる。
【００１９】
Ｂ工程とＤ工程で使用されたパルプの洗浄ろ液（ろ液Ｂ、ろ液Ｄ）の一部、もしくは全量はろ液処理工程（Ｆ工程、Ｇ工程）へ送られ、化学的酸素要求量（ＣＯＤ）を低下させる処理を施される。処理後のろ液（ろ液Ｆ、ろ液Ｇ）は混合されて（ろ液Ｂ’）Ｂ工程へ送られパルプの洗浄水及び希釈水として循環再使用される。またろ液Ｂ’は分岐されＣ工程の希釈水として再使用されてもよい。また、ろ液Ｂのみを処理して、得られたろ液Ｆを未処理のろ液Ｄと混合し、ろ液Ｂ’としてもよい。
【００２０】
本発明で用いられるパルプ原料としては、リグノセルロース物質であればいかなるものでもよく、特に限定されるものではない。しかしながら、紙の原料という見地から、ユーカリ、アカシア、パイン等が好適に用いられる。本発明に使用されるパルプを得るための蒸解法としては、クラフト蒸解、ポリサルファイド蒸解、ソーダ蒸解、アルカリサルファイト蒸解等の公知の蒸解法を用いることができるが、パルプ品質、エネルギー効率等を考慮すると、クラフト蒸解法が好適に用いられる。例えば、木材をクラフト蒸解する場合、クラフト蒸解液の硫化度は５〜７５％、好ましくは１５〜４５％、有効アルカリ添加率は絶乾木材質量当たり５〜３０質量％、好ましくは１０〜２５質量％、蒸解温度は１３０〜１７０℃で、蒸解方式は、連続蒸解法あるいはバッチ蒸解法のどちらでもよく、連続蒸解釜を用いる場合は、蒸解液を多点で添加する修正蒸解法でもよく、その方式は特に問わない。
【００２１】
蒸解に際して、使用する蒸解液に蒸解助剤として、公知の環状ケト化合物、例えばベンゾキノン、ナフトキノン、アントラキノン、アントロン、フェナントロキノン及び前記キノン系化合物のアルキル、アミノ等の核置換体、あるいは前記キノン系化合物の還元型であるアントラヒドロキノンのようなヒドロキノン系化合物、さらにはディールスアルダー法によるアントラキノン合成法の中間体として得られる安定な化合物である９，１０−ジケトヒドロアントラセン化合物等から選ばれた１種あるいは２種以上が添加されてもよく、その添加率は木材チップの絶乾質量当たり０．００１〜１．０質量％である。
【００２２】
本発明では、公知の蒸解法により得られた未漂白パルプは、洗浄、粗選及び精選を行なう洗浄工程を経て、アルカリ酸素漂白工程へ送られる。本発明の洗浄工程において使用される洗浄機としては、プレッシャーディフューザー、ディフュージョンウオッシャー、加圧型ドラムウオッシャー、水平長網型ウオッシャー、プレス洗浄機等を挙げることができるが、特に限定されるものではない。しかしながら、パルプ中のピッチ成分の除去効率が高いという付加的な理由から、プレス洗浄機が好適に用いられる。本発明の洗浄段では、複数の洗浄機を使用することもできる。洗浄後のパルプは、次いでアルカリ酸素漂白工程へ送られる。
【００２３】
本発明の方法におけるろ液処理工程において、ろ液中の有機成分濃度はＣＯＤで表示する。本発明におけるＣＯＤカット率は１０〜９０％であって、好ましくは３０〜８０％である。１０％未満ではアルカリ酸素漂白の漂白性改善効果の程度が小さい。一方、９０％を超えると大きな設備が必要となる等経済的不利が大きくなるので適さない。
【００２４】
本発明の方法におけるろ液処理工程において使用される薬品としては、二酸化塩素、酸素、過酸化水素、オゾン、有機過酸等の公知の酸化剤を挙げることができ、これらの中から適宜選択されて薬品として用いられる。またこれらを２つ以上組み合わせたり、紫外線を照射することもできる。
【００２５】
本発明の方法におけるろ液処理工程において使用される電気分解装置としては、電極として炭素、鉛、セラミクス等を使用したものを挙げることができ、その構造は、直流型、交流型等のものを挙げることができるが、特に限定されるものではない。また、補助薬品として塩化ナトリウム、芒硝、硫酸カリウム等の電解質を添加することもできる。
【００２６】
本発明の方法におけるろ液処理工程のｐＨは、蒸解−アルカリ酸素漂白後の洗浄水のｐＨ、使用する薬品によって適宜調節されるが、３〜１４が好ましい。ｐＨ３未満ではｐＨを調節する薬品が大量に必要となるので適さない。ｐＨは任意の酸性溶液又はアルカリ性溶液を添加して調整することができる。前記のｐＨ調整用に用いられる溶液は、多段漂白工程からの排水を利用できることは言うまでもない。
【００２７】
また、処理温度は３０〜９５℃が好適である。３０℃未満の場合は、処理水を洗浄機に戻した時に洗浄水の温度が著しく低下するので適さない。９５℃以上の場合は温度を保つために多大なエネルギーを必要とするので適さない。さらに処理時間は、５分以上が好ましいが、特に限定されない。処理後のろ液はアルカリ酸素漂白工程前の洗浄工程へ送られ、循環再使用される。
【００２８】
本発明の方法におけるアルカリ酸素漂白工程では、公知の中濃度アルカリ酸素漂白法、あるいは高濃度法を適用できるが、現在、汎用的に用いられている中濃度法が好適に用いられる。前記アルカリ酸素漂白工程において、アルカリとしては苛性ソーダあるいは酸化されたクラフト白液を使用することができ、酸素ガスとしては、深冷分離法からの酸素、ＰＳＡ（Ｐｒｅｓｓｕｒｅ  Ｓｗｉｎｇ  Ａｄｓｏｒｐｔｉｏｎ）からの酸素、ＶＳＡ（Ｖａｃｕｕｍ  Ｓｗｉｎｇ  Ａｄｓｏｒｐｔｉｏｎ）からの酸素等が使用できる。
【００２９】
本発明の方法に使用されるアルカリ酸素漂白工程の一例としては、例えば、酸素ガスとアルカリは第一のミキサーにおいてパルプスラリーに添加され、混合が十分に行われた後、加圧下でパルプ、酸素及びアルカリの混合物を一定時間保持できる一段目の反応塔へ送られ、さらに第二のミキサーにおいて、再度酸素ガスがパルプスラリーに添加、混合が行われた後、加圧下で一定時間保持できる二段目の反応塔へ送られ、脱リグニンされる。各段における酸素ガスの添加率は、絶乾パルプ質量当たり０．５〜３質量％であり、アルカリ添加率は０．５〜４質量％であり、パルプ濃度は５〜４０質量％である。また一段目と二段目の反応塔のトータルのリテンションは、３０〜１２０分で、反応温度は、７０〜１２０℃である。この他の条件は公知のものが適用できる。
【００３０】
本発明の方法におけるアルカリ酸素漂白工程においては、過酸化物を添加することもできる。過酸化物であればいかなるものでも添加できるが、その効果、経済性等を考慮すると過酸化水素が好適に用いられる。過酸化物の添加率は、絶乾パルプ質量当たり０．０５〜３質量％である。また、アルカリ酸素漂白工程においては、エチレンジアミンテトラ酢酸（ＥＤＴＡ）、ジエチレントリアミンペンタ酢酸（ＤＴＰＡ）、ジエチレントリアミンペンタメチレンホスホン酸（ＤＴＰＭＰＡ）等のキレート剤を添加することもできる。アルカリ酸素漂白工程においてアルカリ酸素漂白が施されたパルプは、洗浄工程を経て、多段漂白工程へ送られる。
【００３１】
本発明の方法における多段漂白工程で用いられる漂白薬品としては、酸（Ａ）、アルカリ酸素（Ｅ／Ｏ）、酸性過酸化水素（Ａ／Ｐ）、苛性ソーダ（Ｅ）、二酸化塩素（Ｄ）、酸素（Ｏ）、過酸化水素（Ｐ）、オゾン（Ｚ）、有機過酸等の公知の漂白剤と漂白助剤からなる漂白薬品を挙げることができ、これらの中から適宜選択されて漂白薬品として用いられる。
【００３２】
本発明における漂白シーケンスとしては、例えば、Ｄ−Ｅ−Ｄ、Ｄ−Ｅ／Ｏ−Ｄ、Ｄ−Ｅ−Ｐ−Ｄ、Ｄ−Ｅ／Ｏ−Ｐ−Ｄ、Ｄ−Ｅ／ＯＰ−Ｄ、Ｄ−Ｅ／ＯＰ−Ｐ−Ｄ、Ａ−Ｄ−Ｅ−Ｄ、Ａ−Ｄ−Ｅ／Ｏ−Ｄ、Ａ−Ｄ−Ｅ／ＯＰ−Ｄ、Ａ／Ｐ−Ｄ−Ｅ−Ｄ、Ａ／Ｐ−Ｄ−Ｅ／Ｏ−Ｄ、Ａ／Ｐ−Ｄ−Ｅ／ＯＰ−Ｄ、Ａ−Ｚ−Ｅ−Ｄ、Ａ−Ｚ−Ｅ−Ｐ−Ｄ、Ａ−Ｚ−Ｅ／Ｏ−Ｄ、Ａ−Ｚ−Ｅ／ＯＰ−Ｄ、Ａ−Ｚ−Ｅ／Ｏ−Ｐ−Ｄ、Ａ−Ｚ−Ｅ／ＯＰ−Ｐ−Ｄ、Ａ−Ｚ／Ｄ−Ｅ−Ｄ、Ａ−Ｚ／Ｄ−Ｅ−Ｐ−Ｄ、Ａ−Ｚ／Ｄ−Ｅ／Ｏ−Ｄ、Ａ−Ｚ／Ｄ−Ｅ／Ｏ−Ｐ−Ｄ等のように原子状塩素を含まないシーケンスを用いることもできるし、Ａ−Ｚ−Ｅ−Ｐ−Ｄ、Ａ−Ｚ−Ｅ／ＯＰ−Ｐ、Ｅ／ＯＰ−Ｐ、Ａ−Ｅ／ＯＰ−Ｐ等のように原子状塩素と塩素系漂白薬品を一切用いない漂白シーケンスを用いることもできる。また、本発明の効果をさらに上げるために、多段漂白工程の前後にキシラン分解酵素、リグニン分解酵素等による酵素処理工程や、ＥＤＴＡ、ＤＴＰＡ、ＤＴＰＭＰＡ等によるキレート剤処理工程を設けてもよいことは言うまでもない。
【００３３】
本発明では、アルカリ酸素漂白工程中の洗浄工程及びアルカリ酸素漂白工程後の洗浄工程からの排水は向流洗浄水として回収、使用することもできる。従って、蒸解工程及びアルカリ酸素漂白工程をクローズド化することもできる。さらに、本発明では、多段漂白工程においてもクローズド化することもでき、漂白パルプの全製造工程をクローズド化することもできる。
【００３４】
【実施例】
以下、実施例及び比較例を挙げて本発明をより具体的に説明するが、勿論、本発明はこれらの実施例に限定されるものではない。以下に示す実施例１〜３は、洗浄工程Ｂのろ液（ろ液Ｂ、ＣＯＤ２５６０ｐｐｍ）と洗浄工程Ｄのろ液（ろ液Ｄ、ＣＯＤ２２０７ｐｐｍ）とを、ＣＯＤを低下させることを目的とした前処理方法で処理し、処理後のろ液（ろ液Ｆ、ろ液Ｇ）の混合液（ろ液Ｂ’）で未漂白パルプを洗浄、脱水した後希釈して所定の濃度に調節し、アルカリ酸素漂白して、Ｄ−Ｅ／Ｏ−Ｐ−Ｄシーケンスで漂白を行ったものである。
一方比較例１はろ液Ｂで前記未漂白パルプを洗浄、脱水した後希釈して所定の濃度に調節し、アルカリ酸素漂白して、Ｄ−Ｅ／Ｏ−Ｐ−Ｄシーケンスで漂白を行ったものである。
また、特に示さない限り、ＣＯＤの測定、カッパー価の測定、パルプ白色度の測定、パルプ粘度の測定はそれぞれ以下の方法で行った。なお、特に示さない限り実施例及び比較例における薬品の添加率は絶乾パルプ質量当たりの質量％を示す。
【００３５】
実施例１
ろ液Ｂ  １リットルにろ液の質量当たり過酸化水素を０．２％添加し、８０℃で６０分処理して、ろ液Ｆを得た。ろ液Ｄにも同様の処理をして、ろ液Ｇを得た。得られたろ液Ｆと、ろ液Ｇを混合し、ろ液Ｂ’を得た。ろ液Ｂ’のＣＯＤ濃度は１７７０ｐｐｍだった。
針葉樹混合木材チップを連続蒸解釜で蒸解して得られた白色度２０．２％、カッパー価２６．３、パルプ粘度２７．４ｍＰａ・ｓの針葉樹未漂白クラフトパルプを絶乾質量７０．０ｇ採取し、ろ液Ｂ’で洗浄及び希釈してパルプ濃度を１０％に調整し、苛性ソーダを２．５％添加し、ステンレス製２リットル容の間接加熱式オートクレーブに入れ、ゲージ圧０．５ＭＰａとなるように純度が９９．９％の市販の圧縮酸素ガスで加圧し、反応温度１００℃、反応時間６０分でアルカリ酸素漂白処理を行ない、イオン交換水でそれに続く洗浄を行った。さらに、アルカリ酸素漂白後のパルプ絶乾質量６０．０ｇをプラスチック袋に入れ、イオン交換水を用いてパルプ濃度を１０％に調整した後、二酸化塩素を１．４５％添加し、反応温度７０℃反応時間６０分間でＤ１段の漂白を行った。得られたパルプをイオン交換水で洗浄、脱水した。
【００３６】
Ｄ１段後のパルプをイオン交換水を用いてパルプ濃度を１０％に調整した後、苛性ソーダを１．２％添加し、ステンレス製２リットル容の間接加熱式オートクレーブに入れ、ゲージ圧が０．１５ＭＰａとなるように純度が９９．９％の市販の圧縮酸素ガスで加圧し、７０℃で２０分間反応させた。その後、パルプスラリーをオートクレーブから取り出し、プラスチック袋に移した後、Ｄ１段と同様に７０℃で７０分間処理し、Ｅ／Ｏ段の抽出を行った。得られたパルプをイオン交換水で洗浄、脱水した。
Ｅ／Ｏ段後のパルプをプラスチック袋に入れ、イオン交換水を用いてパルプ濃度を１０％に調整した後、苛性ソーダを１．０％、過酸化水素を０．４％を添加し、Ｄ１段と同様にして温度７０℃で９０分間処理してＰ段のアルカリ過酸化水素漂白を行った。得られたパルプをイオン交換水を用いて洗浄、脱水した。
【００３７】
Ｐ段後のパルプをプラスチック袋に入れ、イオン交換水を用いてパルプ濃度を１０％に調整した後、二酸化塩素を０．３％添加し、Ｄ１段と同様にして温度７０℃で１２０分間処理し、Ｄ２段の漂白を行った。得られたパルプをイオン交換水を用いて洗浄、脱水し、パルプ白色度８５．１％、パルプ粘度が１７．６ｍＰａ・ｓの漂白パルプを得た。未漂白パルプの洗浄及び希釈に使用したろ液のＣＯＤとＣＯＤカット率、アルカリ酸素漂白後のパルプのカッパー価、パルプ白色度、パルプ粘度を表１に、多段漂白工程におけるＤ１段薬品添加率及び漂白後のパルプ白色度と粘度を表２に示した。
【００３８】
実施例２
陽極として遷移貴金属をメッキした金属電極と陰極として炭素電極で構成される電気分解槽に、ろ液Ｂを１リットル入れ、反応温度８０℃、反応時間６０分の条件で電気分解処理して、ろ液Ｆを得た。ろ液Ｄにも同様の処理をして、ろ液Ｇを得た。得られたろ液Ｆと、ろ液Ｇを混合し、ろ液Ｂ’を得た。ろ液Ｂ’のＣＯＤ濃度は９２３ｐｐｍだった。ろ液Ｂ’を用いて未漂白パルプの洗浄及び希釈を行なう以外は実施例１と全く同じ条件でアルカリ酸素漂白した。得られたアルカリ酸素漂白後のパルプ絶乾質量６０．０ｇをプラスチック袋に入れ、Ｄ１段における二酸化塩素の添加率を１．２５％に変えた以外は実施例１と同様にＤ１−Ｅ／Ｏ−Ｐ−Ｄ２シーケンスで漂白を行った。
【００３９】
実施例３
電気分解槽に、ろ液の質量当たり過酸化水素を０．５％添加し、反応時間を３０分に変える以外は実施例１と同じ操作をしてろ液Ｂ’を得た。ろ液Ｂ’のＣＯＤ濃度は９５０ｐｐｍだった。得られたろ液を用いて未漂白パルプの洗浄及び希釈を行なう以外は実施例１と全く同じ条件でアルカリ酸素漂白した。得られたアルカリ酸素漂白後のパルプ絶乾質量６０．０ｇをプラスチック袋に入れ、Ｄ１段における二酸化塩素の添加率を１．２５％に変えた以外は実施例１と同様にＤ１−Ｅ／Ｏ−Ｐ−Ｄ２シーケンスで漂白を行った。
【００４０】
比較例１
未処理のろ液Ｂとろ液Ｄを１：１で混合してろ液Ｂ’を得た。ろ液Ｂ’を用いて未漂白パルプの洗浄及び希釈を行なう以外は実施例１と全く同じ条件でアルカリ酸素漂白した。得られたアルカリ酸素漂白後のパルプ絶乾質量６０．０ｇをプラスチック袋に入れ、Ｄ１段における二酸化塩素の添加率を１．５０％に変えた以外は実施例１と同様にＤ１−Ｅ／Ｏ−Ｐ−Ｄ２シーケンスで漂白を行った。
【００４１】
１．ＣＯＤの測定
ＣＯＤの測定は、ＪＩＳ  Ｋ−０１０２の「１００℃における過マンガン酸カリウムによる酸素消費量（ＣＯＤＭｎ）」測定方法に準じて行なった。
また、ＣＯＤカット率は、以下の式で算出した。
ＣＯＤカット率（％）＝〔（処理前ＣＯＤ）−（処理後ＣＯＤ）〕／（処理前ＣＯＤ）×１００
【００４２】
２．カッパー価の測定
カッパー価の測定は、ＪＩＳ  Ｐ  ８２１１に準じて行った。
【００４３】
３．パルプ白色度の測定
パルプ白色度の測定は、ＪＩＳ  Ｐ  ８２１２に準じて行った。
【００４４】
４．パルプ粘度の測定
パルプ粘度の測定は、ＪＩＳ  Ｐ  ８２１５に準じて行った。
【００４５】
【表１】
2004218150.tif 000002
【００４６】
【表２】
2004218150.tif 000003
【００４７】
表１の実施例１〜３と比較例１を比較することから明らかなように、ろ液の薬品による酸化分解、電気分解により、ＣＯＤ濃度が低下し、このろ液を未漂白パルプの洗浄水及び希釈水として使用し、アルカリ酸素漂白を行なうことにより、アルカリ酸素漂白後のパルプ粘度を維持したまま、パルプ白色度を高くし、パルプのカッパー価を低くすることができる。その結果、表２から明らかなように、パルプ粘度を実用レベルに保持したままで、所望の白色度に漂白するのに必要な多段漂白工程での漂白薬品の使用量を大幅に削減することができる。
【００４８】
【発明の効果】
本発明により、未漂白パルプの洗浄水と、洗浄後の希釈水となるアルカリ酸素漂白塔前後の洗浄機のろ液を前処理し、有機成分濃度を低下させた後、アルカリ酸素漂白前の洗浄機に送り、循環再使用するアルカリ酸素漂白法において、所望の白色度に漂白するのに必要な多段漂白工程での漂白薬品の使用量を大幅に削減し得る漂白パルプの製造方法の提供が可能となった。
【図面の簡単な説明】
【図１】本発明の実施フローの概念図である。
【図１】
2004218150.tif 000004